(57)【特許請求の範囲】
【請求項１】
水中に固定設置される金属材よりなる接続管と、該接続管に立設されたガイド支柱と、該ガイド支柱に沿って昇降自在とされると共に、その下降操作で吐出口が前記接続管の一端開口部に連通接続状態とされる水中ポンプと、前記接続管の他端開口部に接続された排水管とを備えてなる水中ポンプ設備において、
前記接続管に導電材を介して電気的接続状態とされた防食部材が、接続管の付近に位置して配設されたことを特徴とする水中ポンプ設備。
【請求項２】
前記防食部材が前記ガイド支柱に沿って昇降自在に吊下げられたことを特徴とする請求項１記載の水中ポンプ設備。
【請求項３】
前記ガイド支柱が金属材よりなり、前記防食部材が前記接続管およびガイド支柱よりイオン化傾向の大きい低電位の金属からなることを特徴とする請求項１または２記載の水中ポンプ設備。
【請求項４】
前記ガイド支柱が金属材よりなり、前記接続管とガイド支柱とが導電材により接続されると共に、ガイド支柱と防食部材とが導電材により接続されて、接続管と防食部材とが前記電気的接続状態とされたことを特徴とする請求項１、２または３記載の水中ポンプ設備。
【請求項５】
水中に固定設置される接続管と、該接続管に立設されたガイド支柱と、該ガイド支柱に沿って昇降自在とされると共に、その下降操作で吐出口が前記接続管の一端開口部に連通接続状態とされる水中ポンプと、前記接続管の他端開口部に接続された排水管とを備えてなる水中ポンプ設備において、
前記水中ポンプのポンプ本体に装着された導電性支持部材を介して防食部材が、ポンプ本体の周囲に配設されたことを特徴とする水中ポンプ設備。
【請求項６】
前記ポンプ本体の上部および下部より、前記導電性支持部材が放射状に突設され、上下対の各導電性支持部材の突出端部間にわたって前記防食部材が取り付けられて、ポンプ本体の外周囲に周方向に離隔して複数の防食部材が配置されたことを特徴とする請求項５記載の水中ポンプ設備。
【請求項７】
水中に固定設置される金属材よりなる接続管と、該接続管に立設されたガイド支柱と、該ガイド支柱に沿って昇降自在とされると共に、その下降操作で吐出口が前記接続管の一端開口部に連通接続状態とされる水中ポンプと、前記接続管の他端開口部に接続された排水管とを備えてなる水中ポンプ設備において、
前記接続管に導電材を介して電気的接続状態とされた防食部材が、接続管の付近に位置して配設されると共に、前記水中ポンプのポンプ本体に装着された導電性支持部材を介して防食部材が、ポンプ本体の周囲に配設されたことを特徴とする水中ポンプ設備。
【請求項８】
前記接続管付近に配設された防食部材が前記ガイド支柱に沿って昇降自在に吊下げられたことを特徴とする請求項７記載の水中ポンプ設備。
【請求項９】
前記ガイド支柱が金属材よりなり、前記各防食部材が前記接続管、ガイド支柱および水中ポンプよりイオン化傾向の大きい低電位の金属からなることを特徴とする請求項７または８記載の水中ポンプ設備。
【請求項１０】
前記ガイド支柱が金属材よりなり、前記接続管とガイド支柱とが導電材により接続されると共に、ガイド支柱と防食部材とが導電材により接続されて、接続管と防食部材とが前記電気的接続状態とされたことを特徴とする請求項７、８または９記載の水中ポンプ設備。
【請求項１１】
前記ポンプ本体の上部および下部より、前記導電性支持部材が放射状に突設され、上下対の各導電性支持部材の突出端部間にわたって前記防食部材が取り付けられて、ポンプ本体の外周囲に周方向に離隔して複数の防食部材が配置されたことを特徴とする請求項７、８、９または１０記載の水中ポンプ設備。
【発明の詳細な説明】
【０００１】
【発明の属する技術分野】
本発明は、液体中に設置される、いわゆる水中ポンプ等の設備における腐食防止を図った水中ポンプ設備に関するものである。
【０００２】
【従来の技術】
従来、この種の水中ポンプ設備として、図５に示される如く、貯水槽１内の底部にアンカーボルト等により固定設置される接続管２と、接続管２上部に互いに平行状態で立設された一対のガイド支柱３と、両ガイド支柱３に沿って昇降自在とされると共に、その下降操作で吐出口が前記接続管２の一端開口部に連通接続状態とされる水中ポンプ４と、前記接続管２の他端開口部に接続された排水管５とを備えた構造のものがあった。
【０００３】
なお、図５において、６は吊上げ用チェーン、７は電源ケーブル、８はマンホール枠体、９はマンホール蓋である。
【０００４】
そして、水中ポンプ４の定期点検等にあっては、吊上げ用チェーン６を利用して水中ポンプ４を上方に引き上げ操作すれば、水中ポンプ４に固定のガイド体１１が両ガイド支柱３に沿って上方に摺動案内され、ここに、水中ポンプ４は仮想線で示される如く、両ガイド支柱３による案内の下、上方に吊上げられていき、マンホール部１０の開口より一旦、取り出される。
【０００５】
そして、所定の点検整備後、両ガイド支柱３間に再度、ガイド体１１を係合状として両ガイド支柱３に沿って降ろしていくことにより、水中ポンプ４の吐出口と接続管２の一端開口部とが水中ポンプ４自体の重量を利用したてこの原理により自動的に連通接続状態となって密着され、点検作業が完了する構造とされていた。
【０００６】
【発明が解決しようとする課題】
しかしながら、この種の水中ポンプ設備にあっては、使用する環境により腐食を引き起こす液質中（例えば海水を含む液質中等）で運転しなければならない場合もあり、このような環境下で使用する場合には、腐食が問題となっていた。
【０００７】
特に、接続管２はアンカーボルト等により貯水槽１内の底部地面側に固定設置されるため、接続管２自体を交換する場合には、貯水槽１から水をすべて抜く必要があり、相互関連する各水中ポンプ設備全体における揚水を一時停止するような大工事が必要となるという問題もあった。
【０００８】
一方、この種の電解液中での金属の腐食を防止する方法として、防食部材、いわゆる、よりイオン化傾向の大きい低電位の金属を利用して主体となる金属体の腐食防止を図るという方法がある。例えば、特開昭５４−１６３７４２号公報や実公昭５８−３３２７５号公報等にも開示の如くである。
【０００９】
そこで、本発明は上記点に鑑み、防食部材を利用して各部の腐食を有効に防止した水中ポンプ設備を提供すること目的とする。
【００１０】
【課題を解決するための手段】
上記目的を達成するための第１の技術的手段は、水中に固定設置される金属材よりなる接続管と、該接続管に立設されたガイド支柱と、該ガイド支柱に沿って昇降自在とされると共に、その下降操作で吐出口が前記接続管の一端開口部に連通接続状態とされる水中ポンプと、前記接続管の他端開口部に接続された排水管とを備えてなる水中ポンプ設備において、前記接続管に導電材を介して電気的接続状態とされた防食部材が、接続管の付近に位置して配設された点にある。
【００１１】
また、前記防食部材が前記ガイド支柱に沿って昇降自在に吊下げられた構造としてもよい。
【００１２】
さらに、前記ガイド支柱が金属材よりなり、前記防食部材が前記接続管およびガイド支柱よりイオン化傾向の大きい低電位の金属からなる構造としてもよい。
【００１３】
さらにまた、前記ガイド支柱が金属材よりなり、前記接続管とガイド支柱とが導電材により接続されると共に、ガイド支柱と防食部材とが導電材により接続されて、接続管と防食部材とが前記電気的接続状態とされた構造としてもよい。
【００１４】
また、上記目的を達成するための第２の技術的手段は、水中に固定設置される接続管と、該接続管に立設されたガイド支柱と、該ガイド支柱に沿って昇降自在とされると共に、その下降操作で吐出口が前記接続管の一端開口部に連通接続状態とされる水中ポンプと、前記接続管の他端開口部に接続された排水管とを備えてなる水中ポンプ設備において、前記水中ポンプのポンプ本体に装着された導電性支持部材を介して防食部材が、ポンプ本体の周囲に配設された点にある。
【００１５】
そして、前記ポンプ本体の上部および下部より、前記導電性支持部材が放射状に突設され、上下対の各導電性支持部材の突出端部間にわたって前記防食部材が取り付けられて、ポンプ本体の外周囲に周方向に離隔して複数の防食部材が配置された構造としてもよい。
【００１６】
さらに、上記目的を達成するための第３の技術的手段は、水中に固定設置される金属材よりなる接続管と、該接続管に立設されたガイド支柱と、該ガイド支柱に沿って昇降自在とされると共に、その下降操作で吐出口が前記接続管の一端開口部に連通接続状態とされる水中ポンプと、前記接続管の他端開口部に接続された排水管とを備えてなる水中ポンプ設備において、前記接続管に導電材を介して電気的接続状態とされた防食部材が、接続管の付近に位置して配設されると共に、前記水中ポンプのポンプ本体に装着された導電性支持部材を介して防食部材が、ポンプ本体の周囲に配設された点にある。
【００１７】
また、前記接続管付近に配設された防食部材が前記ガイド支柱に沿って昇降自在に吊下げられた構造としてもよい。
【００１８】
さらに、前記ガイド支柱が金属材よりなり、前記各防食部材が前記接続管、ガイド支柱および水中ポンプよりイオン化傾向の大きい低電位の金属からなる構造としてもよい。
【００１９】
また、前記ガイド支柱が金属材よりなり、前記接続管とガイド支柱とが導電材により接続されると共に、ガイド支柱と防食部材とが導電材により接続されて、接続管と防食部材とが前記電気的接続状態とされた構造としてもよい。
【００２０】
さらに、前記ポンプ本体の上部および下部より、前記導電性支持部材が放射状に突設され、上下対の各導電性支持部材の突出端部間にわたって前記防食部材が取り付けられて、ポンプ本体の外周囲に周方向に離隔して複数の防食部材が配置された構造としてもよい。
【００２１】
【発明の実施の形態】
以下、本発明の実施形態を図面に基づいて説明すると、図１ないし図４において、２０は水中ポンプ設備で、上記従来同様、貯水槽２１内の底部にアンカーボルト２２等により固定設置された接続管２３と、接続管２３上部に互いに平行状態で立設された一対のガイド支柱２４と、両ガイド支柱２４に沿って昇降自在とされると共に、その下降操作で吐出口が前記接続管２３の一端開口部に連通接続状態とされる水中ポンプ２５と、前記接続管２３の他端開口部に接続された排水管２６とから主構成されている。
【００２２】
なお、貯水槽２１の適宜高さ位置には、貯水槽２１内に水が流入するための流入路が適宜備えられている。
【００２３】
前記接続管２３は、鋳鉄（例えば、ＦＣ２００、ＦＣ２５０等）製の鋳物からなり、屈曲状に形成されたエルボ部２３ａと、エルボ部２３ａの下部側に一体形成された貯水槽２１内底部に取付固定するための取付台部２３ｂとを備え、取付台部２３ｂ下端にはその周囲に沿って適宜離隔した４個所位置にボルト固定部２３ｃが備えられている。
【００２４】
そして、各ボルト固定部２３ｃに形成されたボルト挿通孔もしくはボルト挿通溝に対して、所定位置に予め設置された各アンカーボルト２２を挿通させ、ナット締結することにより、接続管２３が所定位置に固定設置されている。
【００２５】
また、接続管２３の一端部上部側には、支柱取付部２３ｄが一体形成されており、この支柱取付部２３ｄに各ガイド支柱２４の下端部が嵌合固定され、各ガイド支柱２４は所定間隔を有して互いに平行状態で立設されている。
【００２６】
そして、各ガイド支柱２４の上端部は、従来同様、平面視コ字状のガイドホルダ２８の筒部２８ａに嵌合固定されている。また本実施形態においては、各ガイド支柱２４は、ステンレス（例えば、ＳＵＳ３０４、ＳＵＳ３１６等）製のパイプ体等より構成されている。
【００２７】
前記水中ポンプ２５は、その外部ハウジング２５ａが鋳鉄（例えば、ＦＣ２００、ＦＣ２５０等）製の鋳物からなり、その下部一側に位置する吐出口部分には従来同様構成の鋳鉄製の鋳物等からなるガイド体２９がフランジ接続されている。
【００２８】
ガイド体２９は、その上部に、両ガイド支柱２４間に沿って上下方向に摺動自在に案内されるスライド部２９ａが一体に形成されると共に、スライド部２９ａの下面側に、前記エルボ部２３ａの一端に形成されたフランジ部上縁部の係合テーパ面に接離自在に当接するテーパ面を有する係止爪部２９ｂが一体に形成されている。
【００２９】
一方、水中ポンプ２５の外部ハウジング２５ａ上端部には、従来同様、吊上げ用チェーン３０や電源ケーブルが適宜、連結されている。
【００３０】
そして、吊上げ用チェーン３０の引き上げ、繰り出し操作により、ガイド体２９のスライド部２９ａが両ガイド支柱２４に沿ってスライド案内され、この案内下、水中ポンプ２５が昇降操作自在な構成とされている。
【００３１】
また、この案内下、水中ポンプ２５を最下位まで下降操作すれば、エルボ部２３ａ側のテーパ面と係止爪部２９ｂのテーパ面とが接離自在に当接係合して水中ポンプ２５自体の重量によるてこの原理により、水中ポンプ２５側の吐出口部分とエルボ部２３ａの一端開口部部分とが連通接続状態となって互いに密着されるように構成されている。
【００３２】
また、図１ないし図３に示される如く、水中ポンプ２５の外部ハウジング２５ａにおけるモータ収容部分に対応するポンプ本体２５ｂの上部および下部より、導電性支持部材としてのステンレス製（例えば、ＳＵＳ３０４等）の細長板状のブラケット３２が、着脱自在なボルト３３締結等により放射状（本実施形態では四方）に突設されており、各ブラケット３２の突出端部には上下方向の挿通孔もしくは切欠状の挿通溝がそれぞれ形成されている。
【００３３】
そして、上下に対応する対の各ブラケット３２の突出端部間の前記挿通孔もしくは挿通溝にわたって、棒状の防食部材３５がそれぞれ着脱自在に装着されている。ここに、ポンプ本体２５ｂの外周囲に周方向にほぼ等間隔を有して４本の防食部材３５が配置される。
【００３４】
即ち、各防食部材３５は、外部ハウジング２５ａやブラケット３２よりイオン化傾向の大きい低電位の金属（アルミニウム、亜鉛等）、例えば、アルミニウムからなる細長円筒状のアルミ陽極棒部３５ａと、該アルミ陽極棒部３５ａに貫通固定状に装着された鋼材（例えば、ＳＳ４００）等からなる支軸部３５ｂとからなり、上下に突出する支軸部３５ｂに形成された雄ねじ軸部にそれぞれ螺合された対のナット３６を利用して、各ブラケット３２の突出端部に着脱自在に装着されている。
【００３５】
前記排水管２６は、ダクタイル鋳鉄管（ＦＣＤ）やステンレス管（ＳＵＳ３０４等）からなり、エルボ部２３ａの他端開口部にフランジ接続されて上向きに立設配置されている。
【００３６】
また、本実施形態においては、前記両ガイド支柱２４間においても棒状の防食部材３８が昇降自在に吊下げ配置されている。
【００３７】
即ち、図１および図４に示される如く、防食部材３８は、接続管２３や各ガイド支柱２４よりイオン化傾向の大きい低電位の金属（アルミニウム、亜鉛等）、例えば、アルミニウムからなる細長円筒状のアルミ陽極棒部３８ａと、該アルミ陽極棒部３８ａに貫通固定状に装着された鋼材（例えばＳＳ４００）等からなる支軸部３８ｂとからなり、下部に突出する支軸部３８ｂの突出端部には絶縁部材としてのゴム体３９が嵌着固定されている。
【００３８】
また、アルミ陽極棒部３８ａの上部に突出する支軸部３８ｂの上下方向中間部には、その支軸部３８ｂに形成された雄ねじ軸部に螺合された対のナット４０を利用して、合成樹脂製のスライド板４１に挿通状として着脱自在に装着されている。
【００３９】
そして、この対の各ナット４０によるスライド板４１に対する挟持固定に際して、導電材としての被覆付銅線４３の一端部が支軸部３８ｂに電気的に接続されている。
【００４０】
前記スライド板４１は、ガイド体２９と同様、両ガイド支柱２４に沿って上下方向に摺動自在にスライド案内されるべく、両側にガイド支柱２４がそれぞれ相対摺動自在に嵌合状とされる嵌合凹部４１ａが形成されている。
【００４１】
また、支軸部３８ｂの上端面には、アイボルト４４が着脱自在に螺合されており、該アイボルト４４に吊上げ用チェーン４５が連結されている。
【００４２】
前記被覆付銅線４３の他端部は、一方のガイド支柱２４上端部に溶接等により固着され、ここに、防食部材３８とガイド支柱２４とが被覆付銅線４３を介して電気的に接続されている。
【００４３】
また、この被覆付銅線４３により接続されたガイド支柱２４下端部と接続管２３の一端部とが、同様に被覆付銅線４６を介して電気的に接続されている。この取付例としては、被覆付銅線４６の各端部をそれぞれ溶接により固着する方式であってもよく、ガイド支柱２４や接続管２３に突設された雄ねじ軸部にナットを螺合することにより被覆付銅線４６端部を締結して（必要に応じて溶接することにより）電気的に接続する方式であってもよい。
【００４４】
そして、この防食部材３８が貯水槽２１内に下降配置された状態においては、図１に示される如く、両ガイド支柱２４間の下部に位置され、下端のゴム体３９がガイド体２９のスライド部２９ａ上面に当接した状態で配置される。
【００４５】
また、これら水中ポンプ２５や防食部材３８の下降配置状態において、各吊上げ用チェーン３０、４５の上端部は、マンホール部４８の開口周縁部に適宜備えられたフック部４９に係止保持される。
【００４６】
なお、被覆付銅線４３と吊上げ用チェーン４５とは、長さ方向に適宜間隔を有した複数位置で、適宜ひももしくは線材等で固縛されている。
【００４７】
また、各ボルト２２、３３、４４、ナット３６、４０、各吊上げ用チェーン３０、４５や各チェーン３０、４５連結用のシャックル等はステンレス材（ＳＵＳ３０４、ＳＵＳ３１６）等により構成されている。
【００４８】
本実施形態は以上のように構成されており、貯水槽２１に貯留された水は水中ポンプ２５の作動により、その下端側に位置する吸引口より吸引されて吐出口よりエルボ部２３ａ内に案内され、排水管２６を通じて排水される。
【００４９】
そして、貯水槽２１における貯水中において、水中ポンプ２５側においては、ポンプ本体２５ｂと各防食部材３５との相互間に、水中を通じて一点鎖線で示されるような電気の流れが生じ、一方、接続管２３側においては、防食部材３８から吊上げ用チェーン４５、ガイド支柱２４、被覆付銅線４６、接続管２３および水中を通じて防食部材３８への二点差線で示されるような電気の流れが生じ、各防食部材３５、３８の水中への溶解により、水中ポンプ２５やガイド支柱２４および接続管２３等の腐食が有効に防止できる。
【００５０】
そして、これら各防食部材３５、３８の交換に際しては、水中ポンプ２５の点検整備の場合と同様、吊上げ用チェーン３０を利用して水中ポンプ２５を仮想線で示される如く上方に引き上げて貯水槽２１から取り出し、各防食部材３５を交換すればよい。
【００５１】
また、防食部材３８の下端はスライド部２９ａ上に位置しているため、水中ポンプ２５の引き上げと共に上昇され、水中ポンプ２５の引き上げと同時に取り出すことができる。そしてこの場合も同様に防食部材３８を交換すればよい。なお、防食部材３８側のみを単独で引き上げて交換する場合には、吊上げ用チェーン４５を利用して引き上げればよい。
【００５２】
そして、交換後、貯水槽２１内に水中ポンプ２５を戻す場合には、従来同様にして両ガイド支柱２４による案内下、所定位置に戻せばよい。また防食部材３８を戻す場合には、水中ポンプ２５設置後、スライド板４１による両ガイド支柱２４の案内下、順次下降させていけばよい。
【００５３】
以上のように、各防食部材３５、３８を定期的に交換することにより、水中ポンプ２５や接続管２３等の腐食が有効に防止できると共に、貯水槽２１内の水を抜くような大工事が必要でなく、各防食部材３５、３８の交換を容易に行うことができる。
【００５４】
また、ポンプ本体２５ｂの外周囲に周方向に等間隔を有して複数の防食部材３５を配置する構造であり、水中ポンプ２５全体の腐食が有効に防止できる。
【００５５】
なお、上記実施形態において、防食部材３８が両ガイド支柱２４に沿って下降操作され、接続管２３の付近に配置される構造とされているが、防食部材３８は接続管２３の近傍に配置されていればよく、防食部材３８と接続管２３との電気的な相互接続も接続管２３のほぼ全長にわたって電気が流れるような接続であればよい。
【００５６】
また、各部の材質も実施例の材質に限られず、各部の材質に応じて各防食部材３５、３８の材質を適宜決定すればよい。
【００５７】
【発明の効果】
以上のように、本発明の水中ポンプ設備によれば、接続管に導電材を介して電気的接続状態とされた防食部材が、接続管の付近に位置して配設される構造や、水中ポンプのポンプ本体に装着された導電性支持部材を介して防食部材が、ポンプ本体の周囲に配設された構造であり、それら各防食部材によって接続管や水中ポンプの腐食が有効に防止できるという利点がある。
【００５８】
また、各防食部材は、ガイド支柱に沿って昇降自在や、水中ポンプと共に取り出し自在であり、その交換作業が容易に行えるという利点もある。
【００５９】
さらに、防食部材が接続管およびガイド支柱よりイオン化傾向の大きい低電位の金属からなり、また、接続管とガイド支柱とが導電材により接続されると共に、ガイド支柱と防食部材とが導電材により接続されて、接続管と防食部材とが電気的接続状態とされた構造とすれば、接続管だけでなくガイド支柱の腐食も有効に防止できるという利点がある。
【００６０】
さらにまた、ポンプ本体の上部および下部より、導電性支持部材が放射状に突設され、上下対の各導電性支持部材の突出端部間にわたって防食部材が取り付けられて、ポンプ本体の外周囲に周方向に離隔して複数の防食部材が配置された構造とすれば、ポンプ本体全体の腐食が有効に防止できるという利点がある。
【図面の簡単な説明】
【図１】本発明の実施形態を示す断面説明図である。
【図２】接続管および水中ポンプ部分の平面図である。
【図３】水中ポンプにおける防食部材の取付構造を示す説明図である。
【図４】ガイド支柱と防食部材との相互関係を示す説明図である。
【図５】従来の水中ポンプ設備の概略説明図である。
【符号の説明】
２０  水中ポンプ設備
２１  貯水槽
２２  アンカーボルト
２３  接続管
２４  ガイド支柱
２５  水中ポンプ
２５ａ  外部ハウジング
２５ｂ  ポンプ本体
２６  排水管
２９  ガイド体
３０  吊上げ用チェーン
３２  ブラケット
３５  防食部材
３８  防食部材
３９  ゴム体
４１  スライド板
４３  被覆付銅線
４５  吊上げ用チェーン
４６  被覆付銅線
【図１】
0004116189.tif 000002
【図２】
0004116189.tif 000003
【図３】
0004116189.tif 000004
【図４】
0004116189.tif 000005
【図５】
0004116189.tif 000006